(57)【要約】【課題】ＬＡＮケーブルがどのようなＩＰアドレスのサブネットマスクを用いたセグメントのブリッジ、スイッチングハブ、ルータ等に接続されたＬＡＮケーブルであるか識別可能にするものであり、特にＬＡＮを構築するに際して、各イーサネット（登録商標）機器のサブネットマスクを用いたセグメントのブリッジ、スイッチングハブ、ルータ等に対応したＬＡＮケーブルを適切な機器に配線接続するのが容易なＬＡＮケーブル識別表示装置を提供する。【解決手段】ＬＡＮケーブルに被着する機構とＬＡＮケーブルの識別表示からなるＬＡＮケーブル識別表示装置において、識別表示装置がサブネットマスクの一部を表示可能であることを特徴とするＬＡＮケーブル識別表示装置を提供する。【選択図】図１
2009026474.tif 000002
【特許請求の範囲】
【請求項１】
ＬＡＮケーブルに被着する機構とＬＡＮケーブルの識別表示からなるＬＡＮケーブル識別表示装置において、識別表示装置がＩＰアドレスもしくはその一部を表示可能であることを特徴とするＬＡＮケーブル識別表示装置。
【請求項２】
前記識別表示装置がＩＰアドレスの下位から９ビット目から１６ビット目の８ビットを表示可能であることを特徴とする請求項１記載のＬＡＮケーブル識別表示装置。
【請求項３】
前記ＬＡＮケーブルに被着する機構が、ＬＡＮケーブルと脱着可能であることを特徴とする請求項１、又は２記載のＬＡＮケーブル識別表示装置。
【請求項４】
前記識別表示が表示操作機能とともに、表示ロック機能を有する請求項１乃至３のいずれか１項記載のＬＡＮケーブル識別表示装置。
【発明の詳細な説明】
【技術分野】
【０００１】
本発明は、ＬＡＮケーブルに付属して用いられる、ＬＡＮケーブルがどのようなＩＰアドレスについて用いられるセグメントであるかを識別可能にすることを可能にするＬＡＮケーブル識別表示装置に係るものである。特にＬＡＮを構築するに際して、単一のＩＰアドレスのサブネットマスクによるセグメントを構成するコリジョンセグメントより大きい、ブリッジ、スイッチングハブ、ルータ等を用いることにより複数のＩＰアドレスのサブネットマスクを用いて構成するＬＡＮを構築するに際して、どのＩＰアドレスのサブネットマスクを用いるコリジョンセグメントに属するセグメントに対応したＬＡＮケーブルを適切なＩＰアドレスのサブネットマスクを用いるセグメントコリジョンのセグメントに配線接続するのかの判断を容易にする様な、ＬＡＮケーブルに用いられるＬＡＮケーブル識別表示装置に関するものである。
【背景技術】
【０００２】
従来のＬＡＮのイーサネット（登録商標）では、任意のホストとの1対1の直接通信方法を採っておらず、ホストから送出されたデータは、同じイーサネット（登録商標）に繋がっている全ホストへ届けられる。つまり「1対全」の通信（ブロードキャスト）であり、あるホストが他のホスト宛てのデータを送出しても、関係の無いホストを含めて全てのホストに届いてしまう。この様な、同じデータが到達するネットワークがコリジョンセグメントであり、関係のないホストは一旦は受け取るが自分宛てのデータでない為、これを廃棄する仕組みとなっていた。
【０００３】
また、「1対全」の通信である為、既にあるホスト間で通信している時に別なホストが新たにデータを送出すると、データの衝突、つまりコリジョンが発生する。この様なコリジョンが発生すれば何らの仕組みも無ければ通信は成り立たない。
【０００４】
ここで、ＣＳＭＡ／ＣＤ通信方式によりコリジョンを回避している。これは、データ送出の手順を予め規定しており、先ずホストは、自分の繋がっているイーサネット（登録商標）内であるフレーム、つまりデータが流れていないか確認する。もし既に別のホストが通信していれば、ランダムの時間だけ待って再び確認する様にしている。ここでフレーム、つまりデータが流れていなければ、自分のフレーム、つまりデータを送出することが可能になる。しかし別のホストも同時に送り出していたのなら、ここでコリジョンが起こるので、コリジョンを検知したホストは、乱数によるランダムの時間を待ち、再度同じフレーム、つまりデータを送出することが可能になる。
【０００５】
この場合、ブリッジ、スイッチングハブ、ルータ等で使用するＩＰアドレスは、ＩＰｖ４の例では、３２ビット中、上位２４ビットをサブネットマスク等により固定し、下位８ビットのみ異なるＩＰアドレス群を用いるのが通常であった。例えば、サブネットマスクが１０．０．０であれば、１０．０．０．０から１０．０．０．２５５を用いることがなされていた。
【０００６】
しかし、この様なＬＡＮは単一のコリジョンセグメントで構成していたのでは、構成するホストの数に応じてコリジョン内の通信データ量が多くなり、コリジョンが常態化する現象が現れる。この様に、ＬＡＮの構築が単一のセグメントのみで組めない様な場合が多くなってきている。
【０００７】
これを防止するため、単一のコリジョンセグメントからなる構成をするのではなく、複数のブリッジ、スイッチングハブ、ルータ等を用いてネットワークを構成する方法が知ら
れている。この場合、各々のセグメントで同一のアドレスを用いることによる衝突を起こさないように、各セグメント毎に異なるサブネットマスクを用いることが行われている。例えば、管理用ＬＡＮのスイッチングハブのサブネットマスクを１０．０．３１、事務所用ＬＡＮのスイッチングハブのサブネットマスクを１０．０．３２、クリンルーム内用ＬＡＮのスイッチングハブのサブネットマスクを１０．０．３３、装置用ＬＡＮのスイッチングハブのサブネットマスクを１０．０．３４、検査系用ＬＡＮのスイッチングハブのサブネットマスクを１０．０．３５、搬送系用ＬＡＮのスイッチングハブのサブネットマスクを１０．０．３６とする等である。
【０００８】
この様な複数のサブネットマスクを使用したＬＡＮの配線をする場合は、ブリッジ、スイッチングハブ、ルータ等のジャックにＬＡＮケーブルの一端を差しこみ、そのハブと接続すべきイーサネット（登録商標）機器を探し出してそのＬＡＮケーブルの他端をそのイーサネット（登録商標）機器のジャックに差し込む工程を、配線すべきイーサネット（登録商標）機器の数だけ繰り返していた。これは、ＬＡＮケーブルの形状が多くは同一であり、同時に多くの配線を行なう必要があるが、正しいブリッジ、スイッチングハブ、ルータ等との接続でなければイーサネット（登録商標）機器が正常動作しないのが一般的である。
【０００９】
この様な正常動作しない原因のひとつは、ケーブルの差し間違いにあった。この様なジャックの差し間違いを防止するために、ケーブルの識別を行なう様な技術として、特許文献１の様な技術が公知である。これは、機器をケーブルで接続しシステムとして構築する装置において、煩雑なシステムでは接続ケーブルが増加し、また規格品のプラグ、コネクタ等類似部品が配設されているため、一般の利用者が接続を行う場合、接続の誤りが発生し易く点検等も困難であったのと、部品及び装置本体に単色のカラーマークを被着し誤接続を防止しているものもあるが接続ケーブルの増加に対応しきれないのに対し、カラーマークは複数色の反転読みしても重複しない組合わせで各部品及び装置に対で被着表示をすることにより正しい接続を促し、接続の後でもカラーマークが確認でき接続作業の良否の追加検証を容易にし、また、カラーマークを図を含む形状情報、色情報等の表示情報の組合わせや凹凸情報との集合とし被着表示することによって選択できる色の不足を補ったり盲目の利用者のケーブル接続、点検を可能とした人間の感覚に訴えて誤接続及び誤操作を防止する装置を開示するものである。
【００１０】
以下に公知文献を記す。
【特許文献１】特開２０００−２００６５４号公報
【発明の開示】
【発明が解決しようとする課題】
【００１１】
しかし、特許文献１の様な技術でも、そのカラーマークを図を含む形状情報、色情報等の表示情報の組合わせや凹凸情報との集合とし被着表示するだけではその組み合わせに限りがあるとともに、その組み合わせがどのＩＰアドレスに対応したブリッジ、スイッチングハブ、ルータ等に接続されたＬＡＮケーブルであるかを記憶する必要があるが、サブネットマスク、つまり下位から９ビット目から１６ビット目の８ビットだけでもその区別のためには２５６種類の組み合わせが必要であり、覚えるのは現実的ではない。実際には対応表などを使用したりすることになるが、作業時にいちいち対応表で確認する必要があり作業性が低下するとともに、表の見誤り等により誤った配線を行なう確率も高くなっていたものである。
【００１２】
また従来は、１０ＢＡＳＥ−２、１０ＢＡＳＥ−５、１０ＢＡＳＥ−Ｔなどのセグメント長の短いＬＡＮケーブルであったためにＬＡＮケーブルが接続されるブリッジ、スイッチングハブ、ルータ等の確認は容易であったが、１００ＢＡＳＥ−ＴＸの様なＬＡＮにおけるセグメント長は１００ｍ以上であり、ＬＡＮケーブルが接続されるブリッジ、スイッ
チングハブ、ルータ等の確認は困難になっていた。また、ブリッジ、スイッチングハブ、ルータ等の用いるセグメントを、ＩＰアドレスのサブネットマスクを変更することにより変える場合があるが、その場合の対象ＬＡＮケーブルの対応関係を覚えなおしたり対応表を新たに作り直したりする過程で接続誤りが多発していた。しかも配線誤りの確認には各イーサネット（登録商標）機器の動作を待たなければならず、配線は大変な作業となっていた。
【００１３】
本発明の課題は、この様な状況の下、ＬＡＮケーブルがどのようなＩＰアドレスのサブネットマスクのブリッジ、スイッチングハブ、ルータ等に接続されたＬＡＮケーブルであるか識別可能にするものであり、特にＬＡＮを構築するに際して、各イーサネット（登録商標）機器のＩＰアドレスのブリッジ、スイッチングハブ、ルータ等に対応したＬＡＮケーブルを適切な機器に配線接続するのが容易なＬＡＮケーブル識別表示装置を提供することである。
【課題を解決するための手段】
【００１４】
本発明の請求項１に係る発明は、ＬＡＮケーブルに被着する機構とＬＡＮケーブルの識別表示からなるＬＡＮケーブル識別表示装置において、識別表示装置がＩＰアドレスもしくはその一部を表示可能であることを特徴とするＬＡＮケーブル識別表示装置を提供するものである。
【００１５】
本発明の請求項２に係る発明は、前記識別表示装置がＩＰアドレスの下位から９ビット目から１６ビット目の８ビットを表示可能であることを特徴とする請求項１記載のＬＡＮケーブル識別表示装置を提供するものである。
【００１６】
本発明の請求項３に係る発明は、前記ＬＡＮケーブルに被着する機構が、ＬＡＮケーブルと脱着可能であることを特徴とする請求項１、又は２記載のＬＡＮケーブル識別表示装置を提供するものである。
【００１７】
本発明の請求項４に係る発明は、前記識別表示が表示操作機能とともに、表示ロック機能をを有する請求項１乃至３のいずれか１項記載のＬＡＮケーブル識別表示装置を提供するものである。
【発明の効果】
【００１８】
本発明の請求項１に係るＬＡＮケーブル識別表示装置によれば、いちいち他端が接続されているブリッジ、スイッチングハブ、ルータ等を確認したり、そのブリッジ、スイッチングハブ、ルータ等で設定したＩＰアドレスもしくはＩＰアドレスのサブネットマスクかを確認する必要がなく、確実に正しいＬＡＮケーブルをイーサネット（登録商標）機器に接続することを容易にするためのＬＡＮケーブル識別表示装置が提供できる。
【００１９】
なお、この場合に用いるＩＰアドレスは例えばＩＰｖ４の場合は１０進数で表記された数値を８ｂｉｔ単位で、ドット（．）で分割して表記し、１０．０．０．０の様な表記をし、また、ＩＰｖ６では１６進数で表記された数値を１６ｂｉｔ単位で、コロン（：）で分割して、０１２３：４５６７：８９ａｂ：ｃｄｅｆ：００００：００００：００００：ｆｆｆｆの様な表記をする場合もあるが、ＩＰｖ６でもＩＰｖ４互換アドレスやＩＰｖ４射影アドレスでは下位３２ビットにＩＰｖ４アドレスが埋め込まれるものと解釈し、その部分だけＩＰｖ４の表記にする、ｆｆｆｆ：００００：００００：００００：００００：００００：１０．０．０．３の様な表記が用いられることが多いのが現実であり、その一部でも良い。
【００２０】
また、本発明の請求項２に係るＬＡＮケーブル識別表示装置によれば、一般的に用いられるＩＰアドレスが下位１６ビット以外の上位ビットを同一のＩＰアドレスを用いるのが一般的であり、同一のセグメントでは下位８ビットを変化させるのが一般的なので、セグ
メント間では下位９ビット目から１６ビット目の８ビットを変えて識別するＩＰアドレスでＬＡＮを組むのが一般的である。これは特にＩＰｖ４ではＩＰアドレスの量に限りがあるので、特定のＬＡＮ内でのみ有効なローカルＩＰアドレスを用いるが、ＷＡＮと区別するため、サブネットマスク等を用いて、特定のセグメント内では上位２４ビットを固定し、下位８ビットを０から２５５間で変えて使用する。また、この様な複数のセグメントを使用する場合は、サブネットマスクの下位８ビット、すなわち下位９ビット目から１６ビット目の８ビットを変えて識別するのが一般的である実情があるのと、ＩＰｖ６では十分な数のＩＰアドレスを用いうるが、割り当ては下位が共通したＩＰアドレスを割り当てられるのが一般的であるので、単一のセグメントでは上位１２０ビット共通の２５６アドレスを、複数のセグメントで用いるときは上位１１４ビット共通で、下位１６ビット可変なＩＰアドレスを割り当てるのが普通なので、セグメントを特定するには、すなわち下位９ビット目から１６ビット目の８ビットを変えて識別するのが一般的である実情があるので、下位９ビット目から１６ビット目の８ビットの表記のみで十分なので、その範囲で、確実に正しいＬＡＮケーブルをイーサネット（登録商標）機器に接続することを容易にするためのＬＡＮケーブル識別表示装置が提供できる。
【００２１】
また、本発明の請求項３に係るＬＡＮケーブル識別表示装置によれば、ＬＡＮケーブルが入り組んだ場合においても設定がＬＡＮケーブルどうしの接触や他のイーサネット（登録商標）機器との接触、その他の配線接続時の意図しない表示の変更が起こらないＬＡＮケーブル識別表示装置が提供できる。
【００２２】
また、本発明の請求項４に係るＬＡＮケーブル識別表示装置によれば、本ＬＡＮケーブル識別表示装置の表示が必要なのはＬＡＮケーブルの配線時や配線変更時であり、これ以外の使用時等で、確実に配線され、その配線の確認が必要でなくなった状態ではこのＬＡＮケーブル識別表示装置は必要でなくなり、かえって邪魔な存在となりかねないので、このような場合に取り外しが可能で、しかもその脱着が容易なＬＡＮケーブル識別表示装置が提供できる。
【発明を実施するための最良の形態】
【００２３】
本発明のＬＡＮケーブル識別表示装置の一実施形態に基づいて以下説明する。
【００２４】
図１は、本発明のＬＡＮケーブル識別表示装置の非係止状態の斜視図である。
【００２５】
また、図２は本発明の図１と同様なＬＡＮケーブル識別表示装置の係止状態の図であり、（ａ）が側面図、（ｂ）が正面図、（ｃ）が平面図、（ｄ）がＸ−Ｘ断面の断面図である。
【００２６】
図３は、本発明の表示操作部と表示ロック部の部分の拡大平面図とその断面図であり、（ａ）は非ロック状態の部分拡大平面図、（ｂ）は非ロック状態の部分拡大断面図、（ｃ）はロック状態の部分拡大平面図、（ｄ）はロック状態の部分拡大断面図である。
【００２７】
本発明のＬＡＮケーブル識別表示装置３は、円筒形状をしており、その中央に中空部分４が存在し、その中空部分４にちょうどＬＡＮケーブルが収まる様な太さのケーブルの形状をしている。このＬＡＮケーブル識別表示装置３は、その中央で上片１１と下片１２の二つから大きく構成されており、この上辺１１と下辺１２は、一方の端部に設けた蝶番１３により接続されており、蝶番１３の他端を開いたり閉じたりすることが可能であり、この他端を開放することによりＬＡＮケーブル２１を中空部分４に入れたり外したりすることが可能になっている。この場合、ＬＡＮケーブル２１を中空部分４に入れたまま閉じることによりＬＡＮケーブル２１がＬＡＮケーブル識別表示装置３に収まる。また、上片１１には係止片１４が設けられており、また、その係止片１４に対応する切欠き１５が下片１２に設けられており、この係止片１４が弾力部材から構成されており、この係止片１４が切欠き１５に係止されている状態では、蝶番１３と係止片１４の両方で固定されることとなり、ＬＡＮケーブル２１が中空部分４に固定することが可能である。
【００２８】
上片１１にはこの他に溝が設けられており、その溝部分に爪１６が設けられている。その爪１６にはギザが設けられており、滑らない様になっている。また、この爪１６は、人の指の爪に引っ掛けることが可能な構造になっており、これによりこのＬＡＮケーブル識別表示装置３からＬＡＮケーブル２１を外す場合は、上片１１に設けられた爪１６で持ち上げることにより、係止片１４を切欠き１５から外すことが可能であり、これにより蝶番１３を中心として上片１１と下片１２が回動可能になる。これにより、蝶番１３の反対側に上片１１と下片１２との間を開放状態にすることが可能であり、これによりＬＡＮケーブル２１を中空部分４に入れたり外したりすることが可能になる。
【００２９】
上片１１表面には識別表示部１、表示変更ボタン５、表示ロック部２が設けられている。識別表示部１は、０から２５５まで表示可能であり、具体的には７セグメントのＬＥＤによる３桁表示が可能になっている。この識別表示部１の表示は、操作可能状態では表示変更ボタン５によりアップダウン操作が可能になっている。また、その表示は循環する様に設定されており、２５５の次は０になる様になっている。また、この表示変更ボタン５はアップボタンとダウンボタンしかないが、単に押した場合は表示が１つずつ減ったる増えたりするが、長押しすることにより１０ずつ増えたり減ったりすることが可能になる。
【００３０】
また、表示ロック部２は、表示変更ボタン５を操作可能状態にしたりロック状態にすることが可能である。すなわち、表示変更ボタン５により表示変更が可能なのは操作可能状態のみであり、ロック状態においては、表示変更ボタン５をいくら操作しても識別表示部１の表示は変更されない様になっている。
【００３１】
具体的には、表示変更ボタン５の操作はスイッチ上端子２５とスイッチ下端子２６の接触により行なわれる、スイッチ上端子２５とスイッチ下端子２６は両方導体からなる材料から構成されており、表示変更ボタン５に圧力がない状態ではスイッチ上端子２５とスイッチ下端子２６は離れている状態となり、この状態では表示が変わることはない。
【００３２】
このスイッチ上端子２５とスイッチ下端子２６の間には絶縁バー１６を入れることができる。具体的には、表示ロック部２の操作により絶縁バー１６が連動する様になっており、表示ロック部２がロック状態においてはスイッチ上端子２５とスイッチ下端子２６の間に絶縁バー１６が入り、表示変更ボタン５をいくら操作しても識別表示部１の表示は変更されない様になっている。この状態でＬＡＮケーブルを取り扱って意図しない表示変更ボタン５への圧力が加わっても、このスイッチ上端子２５とスイッチ下端子２６の間に絶縁バー１６があるのでの、スイッチ上端子２５とスイッチ下端子２６が接触することはない。
【００３３】
他方、表示ロック部２が操作可能状態においてはスイッチ上端子２５とスイッチ下端子２６の間から絶縁バー１６が退避状態になり、スイッチ上端子２５とスイッチ下端子２６が直接対峙する状態になる。この操作可能状態で表示変更ボタン５を操作することによいアップダウン操作が可能になっている。
【００３４】
この表示制御は、図示しない制御装置により行なうものであり、スイッチ上端子２５とスイッチ下端子２６の間に導通があるたびにアップボタンとダウンボタン各々の操作に対応した動作を行い、表示を変更するものである。
【００３５】
また、これら制御装置を含むＬＡＮケーブル識別表示装置３全体の駆動は、図示しない
電池によって行なう。
【００３６】
このＬＡＮケーブル識別表示装置は、以上の様な形状である必要はなく、ＬＡＮケーブルに固定できる構造であればどの様な形状でも構わない。また、この様な識別表示部については、ＬＥＤに限られず、ＬＣＤ、電子ペーパー等他の表示手段でも構わない。加えて、操作も表示変更ボタン５と表示ロック部２の組み合わせにより誤動作を防止する様になっているものではなく、他の方式によるものでも構わない。また、表示ロック機構も上記例の様な機械的ロック機構ではなく、ソフトロックによるものでも構わないことは当然である。さらに、上記例ではＩＰｖ４を主に想定しているので１０進表示であるが、ＩＰｖ６用途等では１６進表示などを用いることもあるので、その様な用途では１６進表示をするものや、１０進１６進互換表示可能なものでも構わないことは当然である。
【００３７】
次に、この様なＬＡＮケーブル識別表示装置を用いる方法は特定されないが、例えば、スイッチングハブを用いる例で示せば、このスイッチングハブのＬＡＮのＩＰアドレスとして１０．０．３１．０から１０．０．３１．２５６の間を用いるならば、このスイッチングハブから引き出したＬＡＮケーブルの他端近くの部分にＬＡＮケーブル識別表示装置を係止片などを用いて外れない様に被着させる。そして、その表示変更ボタンを操作して、その識別表示を０３１に変更し、そこで表示ロック部にて表示を固定する。同様に、このスイッチングハブから引き出されるＬＡＮケーブルにその識別表示を０３１に変更し固定する。
【００３８】
他方、別なスイッチングハブのＩＰアドレスとして１０．０．３２．０から１０．０．３２．２５６の間を用いるならば、同様に、このスイッチングハブから引き出されるＬＡＮケーブルにその識別表示を０３２に変更し固定する。
【００３９】
その上で各イーサネット（登録商標）機器に配線する場合は、そのＬＡＮケーブルに被着されたＬＡＮケーブル識別表示装置の識別表示によりどのＩＰアドレスの設定をしているスイッチングハブであるか確認することで確実な配線が可能になった。
【００４０】
また、配線自体が当初想定したものであっても、スイッチングハブのＩＰアドレスを変更しなければ正常動作しないことが判明する場合がある。例えば、スイッチングハブのＩＰアドレスとして１０．０．３１．０から１０．０．３１．２５６の間を用いていたが、１７ビット目から２４ビットまでの８ビットを変更し、上位２４ビットが１０．０．３４．＊＊でなければならない事態が起きたなら、スイッチングハブのＩＰアドレスを１０．０．３４．０から１０．０．３４．２５６の間に変更した上で、識別表示が０３１となっているＬＡＮケーブル識別表示装置の識別表示を順次０３４に変更する。
【００４１】
この様にして配線を終了し、各々のイーサネット（登録商標）機器の配線が正しくいことが確認されたなら、ＬＡＮケーブル識別表示装置を取り外して配線作業を終了する。
【００４２】
もちろん、配線変更が頻繁な場合などでは被着したままであっても構わない。
【００４３】
また、本願発明のＬＡＮ識別装置の別な利用方法を示せば、例えば、同一セグメント内においてどのイーサネット（登録商標）機器の配線を用いたことを確認する必要がある場合は、ＬＡＮのケーブルのＩＰアドレスとして１０．０．３１．１を用いるならば、このＬＡＮケーブルの他端近くの部分にＬＡＮケーブル識別表示装置を係止片などを用いて外れない様に被着させる。そして、その表示変更ボタンを操作して、その識別表示を００１に変更し、そこで表示ロック部にて表示を固定する。同様に、このＬＡＮケーブルにその識別表示を００１に変更し固定する。
【００４４】
他方、同一のセグメントの別なＬＡＮケーブルのＩＰアドレスとして１０．０．３１．２を用いるならば、同様に、このＬＡＮケーブルにその識別表示を００２に変更し固定する。
【００４５】
その上で各イーサネット（登録商標）機器に配線する場合は、そのＬＡＮケーブルに被着されたＬＡＮケーブル識別表示装置の識別表示によりどのＩＰアドレスの設定をしているＬＡＮケーブルであるか確認することで確実な配線が可能になった。
【００４６】
また、配線自体が当初想定したものであっても、ＩＰアドレスを変更しなければ正常動作しないことが判明する場合がある。例えば、あるＬＡＮケーブルのＩＰアドレスとして１０．０．３１．１を用いていたが、１０．０．３１．２でなければならない事態が起きたなら、そのＬＡＮケーブルのＩＰアドレスをスイッチングハブの配線替え等により、１０．０．３１．２に変更した上で、識別表示が００１となっているＬＡＮケーブル識別表示装置の識別表示を順次００２に変更する。
【００４７】
この様にして配線を終了し、各々のイーサネット（登録商標）機器の配線が正しくいことが確認されたなら、ＬＡＮケーブル識別表示装置を取り外して配線作業を終了する。
【００４８】
もちろん、配線変更が頻繁な場合などでは被着したままであっても構わない。
【図面の簡単な説明】
【００４９】
【図１】本発明のＬＡＮケーブル識別表示装置の非係止状態の斜視図である。
【図２】本発明の図１と同様なＬＡＮケーブル識別表示装置の係止状態の図であり、（ａ）が側面図、（ｂ）が正面図、（ｃ）が平面図、（ｄ）がＸ−Ｘ断面の断面図である。
【図３】本発明の表示操作部と表示ロック部の部分の拡大平面図とその断面図であり、（ａ）は非ロック状態の部分拡大平面図、（ｂ）は非ロック状態の部分拡大断面図、（ｃ）はロック状態の部分拡大平面図、（ｄ）はロック状態の部分拡大断面図である。
【符号の説明】
【００５０】
１…識別表示部
２…表示ロック部
３…ＬＡＮケーブル識別表示装置
４…中空部分
５…表示変更ボタン
１１…上片
１２…下片
１３…蝶番
１４…係止片
１５…爪
１６…絶縁バー
２５…スイッチ上端子
２６…スイッチ下端子
【図１】
2009026474.tif 000003
【図２】
2009026474.tif 000004
【図３】
2009026474.tif 000005